(57)【要約】【課題】  リグを外さなくても簡単にどこでもフックの脱着が出来、且つリグ装着時やルアーの使用状況、ルアーの形状に応じてフックが前方向に動く範囲を調整できるようにする。【解決手段】  リグ１の形状を凹型、ネジ穴７には縦型の穴を設ける。フック１３を取り付ける金具９の頭部１０にリグ１の凹部４を差し込んでルアー１１に固定する事により、簡単にフック１３の脱着が出来る。また、ネジ穴７を縦長にした事により、ネジ穴７の範囲でリグ１を動かせるので、フック１３が動く範囲を調整出来る。【選択図】図１
2010207201.tif 000002
【特許請求の範囲】
【請求項１】
リグ１内側を凹部４にしたものとし、その下方には凸型に伸びる個所を設け、そこにネジ穴７を設ける。フック１３を取り付ける金具９の頭部１０にリグ１の凹部４を差し込んでルアー１１に固定した釣具用リグである。
【請求項２】
リグ１のネジ穴７を楕円形、長方形、ひょうたん型などの縦長の穴にする事により、そのネジ穴７の範囲でリグ１を動かす事が出来、リグ１を固定する場所によって、フック１３が前方向に動く範囲を調整する事が出来る、請求項１記載の釣具用リグである。
【請求項３】
請求項１記載のリグ１の凹部４を凸型に変え、リグ中心部２２に近い個所で凸部２１を折り曲げ、それによって出来た空間２３をフック１３を取り付ける個所する。すなわち請求項１記載のリグ１が金具９と一体化した釣具用リグである。
【発明の詳細な説明】
【技術分野】
【０００１】  本発明は、ルアー等の釣具に取り付けるフックを、簡単に脱着するためのリグに関するものである。
【背景技術】
【０００２】  従来のルアー等の釣具に用いるリグとしては、例えば図４に示すようなものを使用していた。（非特許文献参照）すなわち、ルアー１１にリグ２４が前後２本のネジ１２で固定された構造のものである。リグはルアーにフックを取り付け、更に前後にフックが装着されている場合の絡み防止、釣糸がフックに絡む事を防止するという役割を持つものである。従来のリグのほとんどは、上記のような役割を果たす事だけを考慮した構造となっているため、図４に示したような形状のものが多く、フック１３を交換する際には、リグ２４をルアー１１から取り外さなければ、フック１３を交換する事が出来ない。
【先行技術文献】
【非特許文献】
【０００３】  有限会社アングル  ＡＮＧＬＥ  ２００７／２００８  総合カタログＰ２４  ▲７▼Ｈ−１、Ｈ−２、Ｈ−３  ▲１３▼ＴＲ、ＦＲ、ＬＲ
【発明の概要】
【発明が解決しようとする課題】
【０００４】  以上に述べた従来のリグ２４では、リグ２４は決められた形状のまま形を変えられずルアー１１に固定されてしまう。また、フック１３を通す穴２０が小さくリグ２４からフック１３だけを取り外す事が出来なかったり、決められた範囲でしかフック１３が動かなかった。そのため、錆びたフック１３や曲がってしまった不要なフック１３を交換する際には、ルアー１１からリグ２４を取り外さなければフック１３の交換が出来なかった。リグ２４を取り外すには、ドライバー等の工具を使用して、リグ２４を固定しているネジ１２を取り外さなければならなく、そのような道具がない場合、ルアー１１からリグ２４を取り外す事が出来ず、フック１３を交換するという作業は困難であった。また、リグ２４を再度取り付ける際には、防水処理や外れ防止の為に、留金やネジ１２等に接着剤等を塗らなければならないので、とても面倒な作業であった。【０００５】  ところで、フック１３を通す穴２０を大きくしたり、横に伸ばせば問題ないのかもしれないが、そのようなリグは、リグ全体のバランスを取る為に全体が大きくなり、その結果材料代などのコストが高くなる。また、見た目も悪くなるどころか、リグ本来の役割が損なわれたり、リグの重量が重くなり、ルアー１１の動きに大きな影響を与え、釣果が悪くなるという事にもつながる。【０００６】  そこで、本発明が解決しようとする課題は、リグ本来の役割、見た目を損なうことなく、リグを外さなくても簡単にどこでもフック１３の脱着が出来、且つ、リグ装着時やルアーの使用状況、ルアーの形状に応じて、フック１３が前方向へ動く範囲を調整出来る、釣具用リグを提供する事を課題とする。
【課題を解決するための手段】
【０００７】  請求項１に係る釣具用リグは、リグ１の内側を凹部４にしたものとし、その下方には凸型に伸びる個所を設け、そこにネジ穴７を設ける。フック１３を取り付ける金具９の頭部１０にリグ１の凹部４を差し込んでルアー１１に固定したものである。金具９をルアー１１に取り付ける。リグ１は金属製のもので、リグ１の内側は凹型、その下方には凸部６を設け、凸部６にはネジ穴７を設ける。リグ１の凹部４を金具９の頭部１０に差し込み、リグ１のネジ穴７からネジ１２を差しルアー１１に固定する。リグ１の折曲部８の角度１９は、金具９の頭部１０と合体した際の金具９の頭部１０側面１８に沿う角度１９とする。リグの側面２にフック１３の頭部１４の隙間１７が入り込み、フック１３の脱着が簡単に出来る。【０００８】  請求項２に係る釣具用リグは、請求項１に係るものに加えて、リグ１のネジ穴７を楕円形、長方形、ひょうたん型などの縦長の穴にする事により、そのネジ穴７の範囲でリグ１を動かす事が出来、リグ１を固定する場所によって、フック１３が前方向に動く範囲を調整出来る。リグ１のネジ穴７の一番外側部分で固定した場合、フック１３が動く範囲は狭くなり、内側に固定するにつれて、フック１３が動く範囲は広くなる。【０００９】  請求項３に係る釣具用リグは、請求項１記載のリグ１の凹部４を凸型２１に変え、リグ中心部２２に近い個所で凸部２１を折り曲げ、それによって出来た空間２３をフック１３を取り付ける個所とする。すなわち請求項１記載のリグ１が金具９と一体化したものである。リグ１のフック１３を取り付ける個所とした凸部２１は、先端をルアー１１に差し込んで、ネジ１２と共にルアー１１に固定する。リグ１折曲部８の角度１９はルアー１１に装着する前に、ルアー１１の形状に応じて９０度〜１５０度の範囲で設定出来る。９０度に近いほどフック１３が動く範囲は広くなり、逆に、１５０度に近いほどフック１３が動く範囲は狭くなる。
【発明の効果】
【００１０】  請求項１及び請求項３に係る釣具用リグを使用した場合、錆びたフックや曲がってしまった不要なフックを交換する際、リグを外さなくても簡単にどこでもフックの交換が出来る。従って、リグを外すためのドライバー等の工具も必要ない。【００１１】  請求項２に係る釣具用リグを使用した場合、請求項１記載の発明の効果に加え、リグ装着時やルアーの使用状況、ルアーの形状に応じて、フックが前方向に動く範囲を調整出来る。
【図面の簡単な説明】
【００１２】
【図１】本発明の釣具用リグの平面図及び第１実施形態を示す下面図並びに部分横断面図である。
【図２】本発明の実施例１に示すリグの平面図である。
【図３】本発明の実施例２に示すリグの平面図及び部分横断面図である。
【図４】従来例を示す部分横断面図である。
【発明を実施するための形態】
【００１３】  以下、本発明の第１実施形態を図１に基づいて説明する。
【００１４】  まず、リグ１の構造について説明する。リグ１は金属製のもので製作する。リグ１の上部３中ほどから下方向に向けて凹部４を設ける。凹部４の幅ａはフック１３を取り付ける金具９の頭部１０の幅ｃと同じ幅か、それよりも１ｍｍ程度大きくてもよい。凹部４の深さｂは金具９の頭部１０の大きさの半分以下の深さとし、凹部４の底部５は金具９の頭部１０の形に合わせて湾曲した形か、ゆるいカーブ、水平となっているものでもよい。リグ１の折曲部８から下方向に向けて凸部６を設け、中にネジ穴７を設ける。ネジ穴７は長さ２ｍｍ〜３ｍｍ程の穴とする。リグ１の折曲部８は、金具９の頭部１０側面１８に沿う角度１９で折り曲げている。
【００１５】  図１における下面図、及び部分横断面図においては、ルアー１１にリグ１を装着した状態を示している。金具９をルアー１１Ａ−Ｂと平行になるようにルアー１１に取り付ける。リグ１のネジ穴７の方をルアー１１の前方向Ａ側に置き、リグ１の凹部４を金具９の頭部１０に差し込み、リグ１のネジ穴７にネジ１２を差してルアー１１に固定する。
【００１６】  フック１３を付ける際には、図１の下面図が示すように、ルアー１１を左手に持ち、フック１３の頭部１４と針先１５を上向きと見た時の、右側の針先１５を右手に持ち、ルアー１１上側からフック１３左側の針先１５を金具９の頭部１０の穴２０にくぐらせる。そのままフック１３の形に沿ってフック１３を動かしていき、フック１３の隙間１７にさしかかったらフック１３の頭部１４を金具９頭部１０のところまで押し込む。
フック１３を外す際は、フック１３を付ける時と同じようにルアー１１を左手に持ち、手前側にフック１３の針先１５を上に向けた状態で持ってきて、フック１３の頭部１４から出る隙間１７をリグ１側面２にはめ込む。この状態でフック１３の下方から隙間１７を開きながら、ルアー１３のボデをキズつけないようになるべくフック１３の針先１５を上向きに保ったまま上に押し込んで、そのままフック１３の形に沿ってフック１３を外す。
【実施例１】
【００１７】  実施例１を図１及び図２に基づいて説明する。実施例１のものにおいては、図１が示すリグ１のネジ穴７の形を、図２が示すような楕円形、長方形、ひょうたん型などの縦長の穴にしたものである。ルアー１１にリグ１を装着した状態で、ネジ１２を緩める事により、リグ１のネジ穴７は縦長の穴であるのでネジ穴７の長さの範囲でリグ１を動かす事が出来、リグ１を固定する場所によってフック１３が動く範囲を調整できる。図１の部分横断面図（ａ）が示すように、リグ１のネジ穴７の一番外側部分で固定した場合、フック１３が動く範囲は狭くなり、内側に固定するにつれて、フック１３が動く範囲は広くなる。フックの脱着方法は前に述べた方法と同様である。
【実施例２】
【００１８】  実施例２を図３に基づいて説明する。実施例２のものにおいては、図３の平面図が示すように、図１のリグ１凹部４を凸型に変えたものである。凸部２１の長さは８ｍｍ以上とする。リグ１の中心部２２に近いところで凸部２１を折り曲げ、それによって出来た空間２３をフック１３を取り付ける個所とする。リグ１の凸部２１先端をルアー１１に差し込み、リグ１のネジ穴７にネジ１２を差してルアー１１に固定する。リグ１折曲部８の角度１９はルアー１１に装着する前に、ルアー１１の形状に応じて９０度〜１５０度の範囲で設定出来、９０度に近いほどフック１３が動く範囲は広くなり、逆に１５０度に近いほどフック１３が動く範囲は狭くなる。フック１３の脱着方法は前に述べた方法と同様である。【００１９】  本発明は、以上に述べた実施例に限定されるものではない。
【符号の説明】
【００２０】  １    リグ
４    リグ凹部
６    リグ下方から伸びる凸部
７    ネジ穴
９    フックを取り付ける金具
１０  頭部
１１  ルアー
１３  フック
２１  リグ凸部
２２  リグ中心部
２３  フックを取り付ける個所となる空間
Ａ    ルアーの前方
Ｂ    ルアーの後方
【図１】
2010207201.tif 000003
【図２】
2010207201.tif 000004
【図３】
2010207201.tif 000005
【図４】
2010207201.tif 000006